(57)【特許請求の範囲】
【請求項１】
器具本体と、
前記器具本体の中央部に設けられ、前記器具本体を天井面に取り付けるための取付部と、
前記器具本体の前記中央部の周りの周辺部において環状に設けられた複数のＬＥＤ発光部と、
前記器具本体の内部に設けられ、前記各ＬＥＤ発光部へ電力を供給する電源部と、
前記器具本体に固定され、かつ前記各ＬＥＤ発光部を覆うＬＥＤカバーと、
前記器具本体と前記ＬＥＤカバーとの間に介装されるシール部材と、
前記ＬＥＤカバーを覆うように設けられるカバーと、
を備え、
前記ＬＥＤカバーにおける前記器具本体を向く面に前記ＬＥＤ発光部の回路基板の厚み寸法に対応する基板凹部が設けられている照明器具。
【請求項２】
請求項１に記載の照明器具において、
前記ＬＥＤカバーにおける前記器具本体を向く面に前記シール部材に対応するシール部材凹部が設けられ、
前記シール部材凹部に前記器具本体の前記中央部および前記周辺部のうちの一方から他方に突出する保持凸部が設けられている照明器具。
【発明の詳細な説明】
【技術分野】
【０００１】
本発明は、ＬＥＤ発光部からの光を下方に向けて照射する照明器具に関する。
【背景技術】
【０００２】
従来より、ＬＥＤ光源を有するＬＥＤユニットが用いられた照明器具が知られている（例えば、特許文献１参照）。
図１２および図１３に示すように、特許文献１に記載の照明器具１００は、器具取付面１０１に設置される器具本体１０２と、半導体発光素子からなる光源体１０３と、レンズ体１０４と、反射体１０５と、グローブ１０６とを有する。
【０００３】
照明器具１００は、器具本体１０２の略中央部に、天井等の器具取付面１０１に設置された引掛シーリング１０７に着脱可能に設置されるアダプタ１０８が設けられる。
照明器具１００は、器具取付面１０１に設けられた引掛シーリング１０７にアダプタ１０８を係合することにより、引掛シーリング１０７に電気的および機械的に支持されて設置される。
【０００４】
また、照明器具１００は、アダプタ１０８の周囲の空間部に、光源体１０３を点灯するための点灯装置１０９を有する。
光源体１０３は、直線状に形成されており、器具本体１０２の対向する辺の外縁部に設けられている。
また、反射体１０５は、鉄板等の金属に白色塗装を施した平板状をなし、両端部が２本の光源体１０３、光源体１０３に対向する。反射体１０５は、中間部分から器具本体１０２の略中央部に向かって連続的に徐々に傾斜させた傾斜部１１０を有する。
【０００５】
照明器具１００は、光源体１０３を点灯させることにより、レンズ体１０４により、光が略平行な方向、すなわち、反射体１０５の傾斜部１１０に向かって放射され、さらに反射体１０５で反射してグローブ１０６を内面側から照射する。
これにより、照明器具１００は、部屋全体にわたり略均一な明るさで照明する。
【先行技術文献】
【特許文献】
【０００６】
【特許文献１】特開２００８−３００２０３号公報（図１、段落００２９，００３０）
【発明の概要】
【発明が解決しようとする課題】
【０００７】
しかしながら、特許文献１に記載の従来の照明器具１００は、半導体発光素子からなる光源体１０３が露出しているために、ＬＥＤ発光部に対する防水性および防湿性が良好ではない。
従って、特許文献１に記載の従来の照明器具１００は、電気部品の劣化を防止できない。
【０００８】
本発明は、前述した課題を解決するためになされたものであり、その目的は、電気部品の劣化を防止でき、初期性能を長期間維持できる照明器具を提供することにある。
【課題を解決するための手段】
【０００９】
本発明に係る照明器具は、器具本体と、前記器具本体の中央部に設けられ、前記器具本体を天井面に取り付けるための取付部と、前記器具本体の前記中央部の周りの周辺部において環状に設けられた複数のＬＥＤ発光部と、前記器具本体の内部に設けられ、前記各ＬＥＤ発光部へ電力を供給する電源部と、前記器具本体に固定され、かつ前記各ＬＥＤ発光部を覆うＬＥＤカバーと、前記器具本体と前記ＬＥＤカバーとの間に介装されるシール部材と、前記ＬＥＤカバーを覆うように設けられるカバーと、を備え、前記ＬＥＤカバーにおける前記器具本体を向く面に前記ＬＥＤ発光部の回路基板の厚み寸法に対応する基板凹部が設けられている。
【００１１】
本発明に係る照明器具は、前記ＬＥＤカバーにおける前記器具本体を向く面に前記シール部材に対応するシール部材凹部が設けられ、前記シール部材凹部に前記器具本体の前記中央部および前記周辺部のうちの一方から他方に突出する保持凸部が設けられている。
【発明の効果】
【００１２】
本発明に係る照明器具によれば、電気部品の劣化を防止でき、初期性能を長期間維持できるという効果を奏する。
【図面の簡単な説明】
【００１３】
【図１】本発明に係る一実施形態の照明器具の分解斜視図
【図２】本発明に係る一実施形態の照明器具の垂直断面図
【図３】本発明に係る一実施形態の照明器具のＬＥＤ発光部の分解斜視図
【図４】本発明に係る一実施形態の照明器具のＬＥＤ発光部の垂直断面図
【図５】本発明に係る一実施形態の照明器具のＬＥＤ発光部のＬＥＤカバーの一部破断外観斜視図
【図６】図５に示したＬＥＤカバーのシール部材の取付後の一部破断外観斜視図
【図７】本発明に係る一実施形態の照明器具のＬＥＤカバーの押圧突起周りの外観斜視図
【図８】本発明に係る一実施形態の照明器具のＬＥＤカバーの押圧突起へのグロメットの取付前の垂直断面図
【図９】本発明に係る一実施形態の照明器具のＬＥＤカバーの押圧突起へのグロメットの取付後の垂直断面図
【図１０】本発明に係る一実施形態の照明器具のＬＥＤカバーの押圧突起の変形例の外観斜視図
【図１１】本発明に係る一実施形態の照明器具のＬＥＤカバーの変形例の押圧突起へのグロメットの取付後の垂直断面図
【図１２】従来の照明器具の垂直断面図
【図１３】従来の照明器具の底面図
【発明を実施するための形態】
【００１４】
以下、本発明に係る一実施形態の照明器具について図面を参照して説明する。
図１に示すように、本発明に係る一実施形態の照明器具１０は、器具本体１１と、器具本体１１の中央部に設けられて器具本体１１を天井面（図２参照）９０に取り付けるための取付部１２とを備える。
また、照明器具１０は、器具本体１１の中央部の周りの周辺部１３において環状に設けられた複数のＬＥＤ発光部１４と、各ＬＥＤ発光部１４へ電力を供給する電源部（図２参照）１５とを備える。
そして、照明器具１０は、各ＬＥＤ発光部１４を覆うように器具本体１１の周辺部１３に設けられたカバー１６を備える。
【００１５】
照明器具１０は、各ＬＥＤ発光部１４が、器具本体１１に固定されて各ＬＥＤ発光部１４を覆うＬＥＤカバー１７と、器具本体１１とＬＥＤカバー１７との間に介装される複数のシール部材１８およびシール部材１９とを有する。
ＬＥＤカバー１７は、カバー１６の中央部に光成分を配光する広角レンズである。
また、照明器具１０は、電源部１５から器具本体１１に有する貫通孔（図３参照）２０に挿通されてＬＥＤ発光部１４に有する回路基板２１に接続される複数の接続線（図３参照）２２を備える。
そして、照明器具１０は、各接続線２２が圧入されるとともに貫通孔２０に嵌合されるグロメット２３を備える。
【００１６】
さらに、照明器具１０は、器具本体１１の中央部において取付部１２を操作するための孔部２４が設けられており、この孔部２４を閉鎖するものであって取付部１２におけるカバー１６側を着脱自在に覆う蓋部材２５を備える。
照明器具１０は、孔部２４の側部に、リモコン信号が受光される不図示の受光素子を設けていて乳白色の受光素子カバー２６を有するリモコン受光部２７と、不図示のリモコン送信機との機種設定を行うためのチャンネル設定部２８とが取り付けられている。
【００１７】
器具本体１１は、厚みの薄いダイカスト部材等を用いて円板形に形成されている。器具本体１１の床面側の外縁部には、カバー１６を回し止めるための複数のカバー係合部２９が取り付けられている。
器具本体１１は、床面側が反射面として機能する。
ＬＥＤ発光部１４は、円周を四分割するように分離された円弧形状の回路基板２１を有する。
ＬＥＤ発光部１４は、回路基板２１の床面側における内周側に封止された複数のＬＥＤチップ３０および回路基板２１の床面側における外周側に封止された複数のＬＥＤチップ３１を有する。
【００１８】
回路基板２１は、内周側のＬＥＤチップ３０に電気的に接続される不図示のプリント回路および外周側のＬＥＤチップ３１に電気的に接続される不図示のプリント回路を有し、それらプリント回路が接続線２２を通じて電源部１５に独立して電気的に接続される。
なお、内周側の複数のＬＥＤ３０チップおよび外周側の複数のＬＥＤチップ３１は、それぞれ異なる色温度等の特性を有するものを適用できる。
【００１９】
取付部１２は、天井面９０に設置されている引掛シーリング（図２参照）９１に機械的および電気的に接続される取付アダプタであって、電源部１５に電気的に接続される。
電源部１５は、引掛シーリング９１から給電される商用交流電流を回路基板２１のプリント回路に直流電源に変換して与えるためのインバータ等の電気部品を内蔵している。
カバー１６は、例えば乳白色の樹脂製であって、器具本体１１のカバー係合部２９に回し止めされる。
【００２０】
ＬＥＤカバー１７は、透光性を有する樹脂製であって、内周側の複数のＬＥＤチップ３０を覆う内周側レンズ部３２および外周側の複数のＬＥＤチップ３１を覆う外周側レンズ部３３を有する円環形状に形成されている。
ＬＥＤカバー１７は、内周側レンズ部３２と外周側レンズ部３３との間に凹部３４を有する。
ＬＥＤカバー１７は、内周側のＬＥＤチップ３０および外周側のＬＥＤチップ３１とともにＬＥＤ発光部１４を構成する。
ＬＥＤカバー１７は、鍔形状に形成された外縁部に複数のねじ孔部３５を有し、同じく鍔形状に形成された内縁部に複数のねじ孔部３６を有する。
【００２１】
ＬＥＤカバー１７は、外縁部のねじ孔部３５および内縁部のねじ孔部３６を通じて不図示のねじが器具本体１１にねじ込まれることにより、器具本体１１に取り付けられる。
孔部２４は、取付部１２の外径寸法よりも十分に大きい内径寸法を有する小判形状に形成されている。
蓋部材２５は、孔部２４の内径寸法よりも大きい外径寸法を有する小判形状の外形であって、孔部２４に回し止めされることにより、孔部２４に着脱自在に取り付けられる。蓋部材２５は、表面が反射機能を有する。
そのため、蓋部材２５は、取り外されることにより、孔部２４の内部に配置される取付部１２を操作することができる。
【００２２】
図２に示すように、照明器具１０は、器具本体１１の孔部２４の外側における下面に電源部１５が配置されている。
ＬＥＤ発光部１４は、内周側のＬＥＤチップ３０および外周側のＬＥＤチップ３１が環状に配置されるために、点灯により発光された光成分が、ＬＥＤカバー１７を通じて器具本体１１の孔部２４を中心として対照に交差する。
従って、環状に配置されたＬＥＤ発光部１４からＬＥＤカバー１７を通じて出射された光成分を均一な光量にして照射できる。
このとき、蓋部材２５が反射機能を有するために、蓋部材２５に向けて出射された光成分が反射されるので、カバー１６に影ができない。
【００２３】
次に、ＬＥＤ発光部１４について詳細に説明する。
図３に示すように、ＬＥＤ発光部１４は、複数の回路基板２１をＬＥＤカバー１７と器具本体１１との間に挟み込んでＬＥＤカバー１７が器具本体１１に取り付けられる。
従って、ＬＥＤカバー１７と器具本体１１との間に、内周側のシール部材１８および外周側のシール部材１９が挟み込まれることにより、回路基板２１に対する防水性、防湿性が得られる。
【００２４】
回路基板２１は、一端部および他端部に凹形状のグロメット嵌着部３７がそれぞれ形成されており、一端部および他端部から引き出された接続線２２が隣り合う回路基板２１の接続線２２に直列に接続されている。
回路基板２１は、複数のうちの隣り合う二つのグロメット嵌着部３７によりグロメット２３を嵌着することによりグロメット２３を把持する。
【００２５】
また、グロメット２３は、中央部に有する凹溝３８が、器具本体１１に形成されている貫通孔２０に嵌め込まれることにより、器具本体１１に支持される。
グロメット２３は、若干の弾性反発力を有する樹脂材料等により略円柱形状に形成されており、内周部に嵌入されている接続線２２が貫通孔２０を通じて電源部１５に電気的に接続される。
なお、複数の回路基板２１は、接続線２２を内装した不図示のコネクタにより接続されるようにしてもよい。
【００２６】
図４に示すように、ＬＥＤカバー１７は、器具本体１１を向く面にＬＥＤ発光部１４の回路基板２１の厚み寸法Ｔ１よりもわずかに大きい深さ寸法Ｌ１を有して複数の回路基板２１が形成する外形に相似する円環形状の基板凹部３９が設けられている。
基板凹部３９は、回路基板２１がＬＥＤカバー１７の径方向に有する幅寸法Ｌ２よりもわずかに大きい径方向の長さ寸法Ｌ３を有する。
そのため、ＬＥＤカバー１７は、回路基板２１が器具本体１１側に飛び出さないように回路基板２１を収容できる。
【００２７】
なお、基板凹部３９は、各回路基板２１に独立して形成されてもよい。
また、複数の回路基板２１がコネクタにより接続される場合、それらコネクタを逃げるための凹部が基板凹部３９に形成される。
ここで、ＬＥＤカバー１７に基板凹部３９が形成されない場合、ＬＥＤカバー１７に回路基板２１が収容されないために、ＬＥＤカバー１７と回路基板２１との組体の厚み寸法が、ＬＥＤカバー１７の厚み寸法と回路基板２１の厚み寸法との合算値になる。
【００２８】
そのため、ＬＥＤカバー１７と回路基板２１との組体の厚み寸法および幅寸法が大きくなる。
従って、ＬＥＤカバー１７が回路基板２１を収容するために、ＬＥＤカバー１７を小さくでき、照明器具１０の全体を小型化および薄型化できる。
【００２９】
ＬＥＤカバー１７は、基板凹部３９における内周側のＬＥＤチップ３０に対応する位置に内周側のＬＥＤチップ３０を収容してＬＥＤチップ３０の出射光が入射される内周側ＬＥＤ凹部４０を有する。
ＬＥＤカバー１７は、基板凹部３９における外周側のＬＥＤチップ３１に対応する位置に外周側のＬＥＤチップ３１を収容してＬＥＤチップ３１の出射光が入射される内周側ＬＥＤ凹部４１を有する。
【００３０】
そして、ＬＥＤカバー１７は、基板凹部３９の内周側に、内周側のシール部材１８を収容するための内周側のシール部材凹部４２を有し、基板凹部３９の外周側に、外周側のシール部材１９を収容するための外周側のシール部材凹部４３を有する。
内周側のシール部材凹部４２および外周側のシール部材凹部４３は、ＬＥＤカバー１７の器具本体１１を向く面に形成されている。
【００３１】
図５に示すように、ＬＥＤカバー１７は、内周側のシール部材凹部４２における器具本体１１の中央部および周辺部１３のうちの一方から他方に突出する内周側の保持凸部４４が設けられている。
また、ＬＥＤカバー１７は、外周側のシール部材凹部４３における器具本体１１の中央部および周辺部１３のうちの一方から他方に突出する外周側の保持凸部４５が設けられている。
内周側の保持凸部４４は、内周側のシール部材凹部４２内にＬＥＤカバー１７の径方向に向けて突出しており、同様に、外周側の保持凸部４５は、外周側のシール部材凹部４３内にＬＥＤカバー１７の径方向に向けて突出している。
【００３２】
図６に示すように、ＬＥＤカバー１７の外周側のシール部材凹部４３に、外周側のシール部材１９が嵌め込まれる。同様に、ここでは図示しないが、ＬＥＤカバー１７の内周側のシール部材凹部４２に、内周側のシール部材１８が嵌め込まれる。
そのため、外周側のシール部材凹部４３に嵌め込まれた外周側のシール部材１９は、外周側の保持凸部４５に係止されることにより、外周側のシール部材凹部４３に保持される。
【００３３】
同様に、内周側のシール部材凹部４２に嵌め込まれた内周側のシール部材１８は、内周側の保持凸部４４に係止されることにより、内周側のシール部材凹部４２に保持される。
従って、ＬＥＤカバー１７が、組立完了まで、内周側シール部材凹部４２内に内周側のシール部材１８を保持でき、外周側シール部材凹部４３内に外周側のシール部材１９を保持できる。
【００３４】
図７に示すように、ＬＥＤカバー１７は、器具本体１１を向く面に押圧突起４６を設けている。
図８に示すように、押圧突起４６は、グロメット２３の外直径寸法以上の内径寸法を有して、グロメット２３の高さ寸法よりも十分に小さい高さ寸法を有する円環形状に形成されている。
図９に示すように、押圧突起４６は、回路基板２１がＬＥＤカバー１７に組み付けられる際に、グロメット２３からカバー１６の内部に引き出された接続線２２をグロメット２３に押圧する。
【００３５】
従って、押圧突起４６が、グロメット２３からカバー１６の内部に引き出された接続線２２をグロメット２３に押圧するために、接続線２２を押圧して固定することにより、接続線２２が引っ張られて断線する虞が少ない。
また、押圧突起４６が、グロメット２３の外直径寸法以上の内径寸法を有しているために、接続線２２に対して必要以上に大きい押圧荷重をかけないようにして断線を防止できる。
【００３６】
次に、本発明に係る一実施形態の照明器具１０のＬＥＤカバー１７における変形例の押圧突起５１について説明する。
図１０に示すように、変形例の押圧突起５１は、一対の凸条５２から構成されており、凸条５２は、グロメット２３の外直径寸法以上の離間寸法を有する。
【００３７】
図１１に示すように、変形例の押圧突起５１は、回路基板２１がＬＥＤカバー１７に組み付けられる際に、グロメット２３からカバー１６の内部に引き出された接続線２２をグロメット２３に押圧する。
従って、押圧突起５１が、グロメット２３からカバー１６の内部に引き出された接続線２２をグロメット２３に押圧するために、接続線２２を押圧して固定することにより、接続線２２が引っ張られて断線する虞が少ない。
【００３８】
このような照明器具１０は、内周側のシール部材凹部４２に内周側のシール部材１８が嵌め込まれるとともに外周側のシール部材凹部４３に外周側のシール部材１９が嵌め込まれたＬＥＤカバー１７に複数の回路基板２１が組み込まれる。
そして、照明器具１０は、ＬＥＤカバー１７の外縁部のねじ孔部３５および内縁部のねじ孔部３６を通じてねじが器具本体１１にねじ込まれることにより、ＬＥＤカバー１７が器具本体１１に取り付けられる。
【００３９】
そのため、照明器具１０は、器具本体１１とＬＥＤカバー１７とが、内周側のシール部材１８および外周側のシール部材１９によりＬＥＤ発光部１４が密閉される。
従って、照明器具１０は、防水性、防湿性が得られ、電気部品の劣化防止、初期性能を長期間維持できる。
また、照明器具１０は、ＬＥＤチップ３０およびＬＥＤチップ３１の反射層として用いられる銀幕が大気中の硫黄により黒化して輝度が低下することを抑制でき、これによっても初期性能を長期間維持できる。
【００４０】
以上、説明した本発明に係る一実施形態の照明器具１０によれば、防水性、防湿性が得られ、電気部品の劣化防止、初期性能を長期間維持できる。
また、照明器具１０によれば、ＬＥＤチップ３０およびＬＥＤチップ３１の反射層として用いられる銀幕が大気中の硫黄により黒化して輝度が低下することを抑制でき、これによっても初期性能を長期間維持できる。
【００４１】
照明器具１０によれば、ＬＥＤカバー１７が回路基板２１を収容するために、ＬＥＤカバー１７を小さくでき、照明器具１０の全体を小型化および薄型化できる。
【００４２】
照明器具１０によれば、ＬＥＤカバー１７が、組立完了まで、内周側シール部材凹部４２内に内周側のシール部材１８を保持でき、外周側シール部材凹部４３内に外周側のシール部材１９を保持できる。
【００４３】
照明器具１０によれば、押圧突起４６，５１が、グロメット２３からカバー１６の内部に引き出された接続線２２をグロメット２３に押圧するために、接続線２２を押圧して固定することにより、接続線２２が引っ張られて断線する虞が少ない。
【００４４】
照明器具１０によれば、押圧突起４６，５１が、グロメット２３の外直径寸法以上の内径寸法を有しているために、接続線２２に対して必要以上に大きい押圧荷重をかけないようにして断線を防止できる。
【００４５】
なお、本発明の照明器具においてＬＥＤ発光部，取付部，電源部，カバー等は、前述した一実施形態に限定されるものでなく、適宜な変形や改良等が可能である。
【符号の説明】
【００４６】
１０  照明器具
１１  器具本体
１２  取付部
１３  周辺部
１４  ＬＥＤ発光部
１５  電源部
１６  カバー
１７  ＬＥＤカバー
１８，１９  シール部材
３９  基板凹部
４２，４３  シール部材凹部
４４，４５  保持凸部
【図１】
0005877382.tif 000002
【図２】
0005877382.tif 000003
【図３】
0005877382.tif 000004
【図４】
0005877382.tif 000005
【図５】
0005877382.tif 000006
【図６】
0005877382.tif 000007
【図７】
0005877382.tif 000008
【図８】
0005877382.tif 000009
【図９】
0005877382.tif 000010
【図１０】
0005877382.tif 000011
【図１１】
0005877382.tif 000012
【図１２】
0005877382.tif 000013
【図１３】
0005877382.tif 000014